(57)【要約】【課題】ガイドピンの突出長さを確保しながら、ガイドピン及びケースを含む床面設置部材の高さ方向の寸法を小さく抑えることができるという利点を享有しながら、上昇時の第１部材の吊り戸本体の幅方向の寸法精度を高めることで、ガイドピンを吊り戸本体の案内溝内に正確に挿入されるようにすることができる吊り戸の下部振止装置の床面設置部材を提供すること。【解決手段】ガイドピン３を、上端部に磁石４１を設け、下方に開口する空間４２を形成した第１部材４と、この第１部材４の下方に開口する空間４２内に嵌入可能に形成した第２部材５とで構成し、収納状態で、第１部材４がケース２内に没入するとともに、第２部材５が第１部材４の下方に開口する空間４２内に嵌入した状態となり、この状態から、第１部材４が磁力によって吸引されてケース２内から上昇する際に、第１部材４に従動して第２部材５が上昇するように構成する。【選択図】図１
2018178687.tif 000002
【特許請求の範囲】
【請求項１】
床面に設置されるケースに、吊り戸本体の案内溝に配設した磁石又は磁性体に吸引される磁石を配設したガイドピンを上方に突出可能に収納した吊り戸の下部振止装置の床面設置部材において、前記ガイドピンを、上端部に磁石を設け、下方に開口する空間を形成した第１部材と、該第１部材の下方に開口する空間内に嵌入可能に形成した第２部材とで構成し、収納状態で、第１部材がケース内に没入するとともに、第２部材が第１部材の下方に開口する空間内に嵌入した状態となり、この状態から、第１部材が磁力によって吸引されてケース内から上昇する際に、第１部材に従動して第２部材が上昇するようにしたことを特徴とする吊り戸の下部振止装置の床面設置部材。
【請求項２】
前記第１部材に設けた磁石の外周面が、第１部材の外周面を構成するようにしたことを特徴とする請求項１に記載の吊り戸の下部振止装置の床面設置部材。
【請求項３】
前記第１部材に従動して第２部材が上昇する際に、ケースの内周面にガイドされて上昇するようにしたことを特徴とする請求項１又は２に記載の吊り戸の下部振止装置の床面設置部材。
【請求項４】
前記第１部材の上部部材の軸部が、第２部材を貫通、摺動するようにしたことを特徴とする請求項１、２又は３に記載の吊り戸の下部振止装置の床面設置部材。
【発明の詳細な説明】
【技術分野】
【０００１】
本発明は、吊り戸の下部振止装置の床面設置部材に関するものである。
【背景技術】
【０００２】
従来、天井レールにランナーを介して走行自在に吊り下げられた吊り戸に対し、床面に設置したケースに磁力によって突出可能に設けられたガイドピンが、吊り戸本体の下面に形成された案内溝に挿入されることにより、吊り戸のガイドを行う吊り戸の下部振止装置が知られている（特許文献１参照。）。
【０００３】
ところで、特許文献１に開示された吊り戸の下部振止装置においては、ガイドピンが単一の部材からなるため、ガイドピンの突出長さを確保しようとすると、ガイドピン及びケースを含む床面設置部材の高さ方向の寸法が大きくなり、直貼りフロアのように十分な没入深さを確保しにくい構造の場合、吊り戸の下部振止装置を適用できないという問題があった。
【０００４】
一方、この問題に対処するために、ガイドピンを、磁石を先端に設けた第１部材と、この第１部材が上方に突出自在に嵌め込まれた筒状をした第２部材とで構成するようにしたテレスコピック構造のものが提案され、実用化されている（特許文献２〜３参照。）。
【先行技術文献】
【特許文献】
【０００５】
【特許文献１】特開２００１−６５２２８号公報
【特許文献２】特開２００４−２２５４３６号公報
【特許文献３】特開２００５−２７７０号公報
【発明の概要】
【発明が解決しようとする課題】
【０００６】
ところで、特許文献２〜３に開示された吊り戸の下部振止装置においては、ガイドピンの突出長さを確保しながら、ガイドピン及びケースを含む床面設置部材の高さ方向の寸法を小さく抑えることができ、直貼りフロアのように十分な没入深さを確保しにくい構造の場合でも、吊り戸の下部振止装置を適用できるという利点を有する反面、ガイドピンを円滑に昇降させるために、ケースと第２部材及び第１部材と第２部材との間、すなわち、ケースの内周面と第２部材の外周面及び第１部材の内周面と第２部材の外周面との間には、それぞれクリアランスが設けられており、このため、上昇した第１部材には、最大で前記２つのクリアランスを合算したぶれが生じ、このぶれが吊り戸本体の幅方向に生じると、ガイドピンが吊り戸本体の案内溝内に正確に挿入されなくなるという問題があった。
【０００７】
本発明は、特許文献２〜３に開示された吊り戸の下部振止装置が有する、ガイドピンの突出長さを確保しながら、ガイドピン及びケースを含む床面設置部材の高さ方向の寸法を小さく抑えることができるという利点を享有しながら、上昇時の第１部材の吊り戸本体の幅方向の寸法精度を高めることで、ガイドピンを吊り戸本体の案内溝内に正確に挿入されるようにすることができる吊り戸の下部振止装置の床面設置部材を提供することを目的とする。
【課題を解決するための手段】
【０００８】
上記目的を達成するため、本発明の吊り戸の下部振止装置の床面設置部材は、床面に設置されるケースに、吊り戸本体の案内溝に配設した磁石又は磁性体に吸引される磁石を配設したガイドピンを上方に突出可能に収納した吊り戸の下部振止装置の床面設置部材において、前記ガイドピンを、上端部に磁石を設け、下方に開口する空間を形成した第１部材と、該第１部材の下方に開口する空間内に嵌入可能に形成した第２部材とで構成し、収納状態で、第１部材がケース内に没入するとともに、第２部材が第１部材の下方に開口する空間内に嵌入した状態となり、この状態から、第１部材が磁力によって吸引されてケース内から上昇する際に、第１部材に従動して第２部材が上昇するようにしたことを特徴とする。
【０００９】
この場合において、前記第１部材に設けた磁石の外周面が、第１部材の外周面を構成するようにすることができる。
【００１０】
また、前記第１部材に従動して第２部材が上昇する際に、ケースの内周面にガイドされて上昇するようにすることができる。
【００１１】
また、前記第１部材の上部部材の軸部が、第２部材を貫通、摺動するようにすることができる。
【発明の効果】
【００１２】
本発明の吊り戸の下部振止装置の床面設置部材によれば、ガイドピンを、上端部に磁石を設け、下方に開口する空間を形成した第１部材と、該第１部材の下方に開口する空間内に嵌入可能に形成した第２部材とで構成し、収納状態で、第１部材がケース内に没入するとともに、第２部材が第１部材の下方に開口する空間内に嵌入した状態となり、この状態から、第１部材が磁力によって吸引されてケース内から上昇する際に、第１部材に従動して第２部材が上昇するようにすることにより、ガイドピンの突出長さを確保しながら、ガイドピン及びケースを含む床面設置部材の高さ方向の寸法を小さく抑えることができる。
さらに、ケース内に没入した第１部材が上昇するときに、ケースにガイドされて上昇するため、ケースの内周面と第１部材の外周面との間のクリアランスの精度で第１部材を上昇させることができ、上昇時の第１部材の吊り戸本体の幅方向の寸法精度を高めることで、ガイドピンを吊り戸本体の案内溝内に正確に挿入されるようにすることができる。
【００１３】
また、前記第１部材に設けた磁石の外周面が、第１部材の外周面を構成するようにすることにより、第１部材に径が大きい（磁力が大きい）磁石を用いることができ、ガイドピンを、吊り戸本体に設置される案内溝に配設した磁石又は磁性体により確実に吸引させることができ、これにより、例えば、案内溝に配設するガイドピンが吸引される部材を、磁性体のみから構成することができる。
【００１４】
また、前記第１部材に従動して第２部材が上昇する際に、ケースの内周面にガイドされて上昇するようにすることにより、ケースの内周面と第２部材の下部の外周面との間のクリアランスの精度で第２部材を上昇させることができ、上昇時の第２部材の幅方向の寸法精度を高めること、そして、第２部材の上部によって第１部材がガイドされ、第１部材の吊り戸本体の幅方向の寸法精度を高めることで、ガイドピンを吊り戸本体の案内溝内に一層正確に挿入されるようにすることができる。
【００１５】
また、前記第１部材の上部部材の軸部が、第２部材を貫通、摺動するようにすることにより、ガイドピンの強度を高めることができるとともに、第１部材及び第２部材が相互にガイドし合い、第１部材及び第２部材の吊り戸本体の幅方向の寸法精度を高めることで、ガイドピンを吊り戸本体の案内溝内に一層正確に挿入されるようにすることができる。
【図面の簡単な説明】
【００１６】
【図１】本発明の吊り戸の下部振止装置の床面設置部材の第１実施例を示し、（ａ）は収納状態の正面断面図、（ｂ）は同第１及び第２部材が上昇した状態の正面断面図である。
【図２】同床面設置部材を示し、（ａ）は収納状態の側面断面図、（ｂ）は同第１及び第２部材が上昇した状態の側面断面図である。
【図３】同床面設置部材の一部断面にした平面図である。
【図４】本発明の吊り戸の下部振止装置の床面設置部材の第２実施例を示し、（ａ）は収納状態の正面断面図、（ｂ）は同第１及び第２部材が上昇した状態の正面断面図である。
【図５】同床面設置部材の第１部材の下部部材を示し、（ａ）は平面図、（ｂ）は正面断面図である。
【図６】同床面設置部材の第２部材を示し、（ａ）は平面図、（ｂ）は正面断面図である。
【発明を実施するための形態】
【００１７】
図１〜図３に、本発明の吊り戸の下部振止装置の床面設置部材の第１実施例を示す。
この吊り戸の下部振止装置の床面設置部材１は、床面に設置されるケース２に、吊り戸本体Ｄの案内溝Ｇに配設した磁石又は磁性体Ｍに吸引される磁石４１を配設したガイドピン３を上方に突出可能に収納するようにしたもので、ガイドピン３を、上端部に磁石４１を設け、下方に開口する空間４２を形成した第１部材４と、この第１部材４の下方に開口する空間４２内に嵌入可能に形成した第２部材５とで構成し、収納状態で、第１部材４がケース２内に没入するとともに、第２部材５が第１部材４の下方に開口する空間４２内に嵌入した状態となり、この状態から、第１部材４が磁力によって吸引されてケース２内から上昇する際に、第１部材４に従動して第２部材５が上昇するように構成されている。
【００１８】
ケース２は鍔部２１を備えた円筒体からなり、内周部の対向する２箇所に縦方向の有端のスリット溝２２を備えている。
このスリット溝２２に沿って、第２部材５に形成された摺動突起５１が摺動するようにされている。
また、ケース２の鍔部２１の内面側は、上下方向に所定幅を有する内周面２０ａが形成されており、ケース２内に没入した第１部材４が上昇するときに、この内周面２０ａにガイドされて上昇するようにしている。
【００１９】
ガイドピン３は、ケース２に直接摺動可能に収納された第１部材４と、この第１部材４の内部に摺動可能に収納された第２部材５とで構成するようにしている。
【００２０】
第１部材４は、上端部に磁石４１を設け、下方に開口する空間４２を形成するようにしている。
より具体的には、第１部材４は、断面がＴ字状の成形品からなる上部部材４３と、この上部部材４３の軸部４３ａに嵌入した磁石４１と、下方に開口する空間４２を形成した下部部材４４と、上部部材４３の軸部４３ａに嵌合するプッシュナットからなる固定部材４５とで構成するようにしている。
これにより、上端部に磁石４１を配設するようにしたガイドピン３である第１部材４の構造を簡易化して、その製造コストを低廉にできる。
【００２１】
この場合において、第１部材４は、磁石４１を除いて、オーステナイト系のステンレススチール、黄銅、マグネシウム合金、アルミニウム合金等の金属や、ポリアミド（ＰＡ）、ポリアセタール（ＰＯＭ）、ポリカーボネート（ＰＣ）等のエンジニアリングプラスチック等の合成樹脂（複合材料を含む。）等の非磁性体材料からなる成形品で構成することができる。
このように、第１部材４を非磁性体材料で構成することにより、磁石４１の磁力が、第１部材４によって遮られることがないため、ガイドピン３である第１部材４を、吊り戸本体Ｄの案内溝Ｇに配設した磁石又は磁性体Ｍにより確実に吸引させることができる。
【００２２】
また、第１部材４に設けた磁石４１の外周面が、第１部材４の外周面を構成するようにすることができる。
これにより、第１部材４に径が大きい（磁力が大きい）磁石を用いることができ、ガイドピン３を、吊り戸本体Ｄに設置される案内溝Ｇに配設した磁石又は磁性体Ｍにより確実に吸引させることができ、例えば、案内溝Ｇに配設する、ガイドピン３である第１部材４が吸引される部材を、磁性体のみから構成することができる。
【００２３】
第２部材５は、第１部材４の下方に開口する空間４２内に嵌入可能に形成するようにしている。
より具体的には、第２部材５は、第１部材４の空間４２内に嵌入可能に形成した上部５０ａと、第１部材４よりも若干大きな径に形成した円盤形状の下部５０ｂとからなり、下部５０ｂにケース２のスリット溝２２に沿って摺動する摺動突起５１が形成され、上部５０ａに第１部材４の下部部材４４に形成されたスリット孔４６に嵌まり込んで、第１部材４と第２部材５の抜け止め及び第２部材５に対する第１部材４の回り止めを行うための、ばね５３によって付勢されるようにしたピン部材５２を配設するようにしている。
【００２４】
この場合において、第２部材５も、第１部材と同様の非磁性体材料からなる成形品で構成することができる。
【００２５】
そして、上記実施例の吊り戸の下部振止装置の床面設置部材１は、ケース２にピン２３を配設し、第１部材４及び第２部材５にピン２３が入り込むスリット溝４７、５４をそれぞれ形成することにより、ガイドピン３の位置決め（抜け止め）ができるようにしている。
【００２６】
ところで、上記実施例の吊り戸の下部振止装置の床面設置部材１は、ガイドピン３を、ケース２に対して偏心して配設するようにしている。
これにより、ケース２を床に設置する際に（この場合、ケース２は、合成樹脂等の材料で形成したアウター部材（図示省略）を介して、床に設置するようにする。）、ケース２を回転することによって、ガイドピン３の吊り戸本体Ｄの案内溝Ｇに対する位置調整を、容易に、かつ、何度でも行うことができるようにしている。
【００２７】
なお、吊り戸本体Ｄは、図では省略しているが、天井レールにランナーを介して走行自在に吊り下げられている。
【００２８】
次に、本実施例の吊り戸の下部振止装置の床面設置部材の作用を説明する。
この吊り戸の下部振止装置の床面設置部材１は、収納状態では、第１部材４がケース２内に没入するとともに、第２部材５が第１部材４の下方に開口する空間４２内に嵌入した状態となる。
これにより、この吊り戸の下部振止装置の床面設置部材１は、ガイドピン３の突出長さを確保しながら、ガイドピン３及びケース２を含む床面設置部材１の高さ方向の寸法を小さく抑えることができる。
【００２９】
この状態で、吊り戸本体Ｄが、床面に設置された床面設置部材１の上方位置に来ると、案内溝Ｇに配設した磁石又は磁性体Ｍに、ガイドピン３としての第１部材４の上端部に設けた磁石４１の作用によって、第１部材４が吸引されてケース２内から上昇し、この際に、第１部材４に従動して第２部材５も上昇する。
これにより、ケース２内に没入した第１部材４が上昇するときに、ケース２の上縁の内周面２０ａにガイドされて上昇するため、ケース２の上縁の内周面２０ａと第１部材４の外周面との間のクリアランスの精度で第１部材４を上昇させることができ、上昇時の第１部材４の吊り戸本体Ｄの幅方向の寸法精度を高めることで、ガイドピン３を吊り戸本体Ｄの案内溝Ｇ内に正確に挿入されるようにすることができる。
さらに、本実施例においては、第１部材４に従動して上昇する第２部材５の下部５０ｂが、ケース２の内周面２０ｂにガイドされて上昇するため、ケース２の内周面２０ｂと第２部材５の下部５０ｂの外周面との間のクリアランスの精度で第２部材５を上昇させることができ、上昇時の第２部材５の幅方向の寸法精度を高めること、そして、第２部材５の上部５０ａによって第１部材４がガイドされ、第１部材４の吊り戸本体Ｄの幅方向の寸法精度を高めることで、ガイドピン３を吊り戸本体Ｄの案内溝Ｇ内に一層正確に挿入されるようにすることができる。
【００３０】
図４〜図６に、本発明の吊り戸の下部振止装置の床面設置部材の第２実施例を示す。
この吊り戸の下部振止装置の床面設置部材１は、上記第１実施例と同様、床面に設置されるケース２に、吊り戸本体Ｄの案内溝Ｇに配設した磁石又は磁性体Ｍに吸引される磁石４１を配設したガイドピン３を上方に突出可能に収納するようにしたもので、ガイドピン３を、上端部に磁石４１を設け、下方に開口する空間４２を形成した第１部材４と、この第１部材４の下方に開口する空間４２内に嵌入可能に形成した第２部材５とで構成し、収納状態で、第１部材４がケース２内に没入するとともに、第２部材５が第１部材４の下方に開口する空間４２内に嵌入した状態となり、この状態から、第１部材４が磁力によって吸引されてケース２内から上昇する際に、第１部材４に従動して第２部材５が上昇するように構成されている。
【００３１】
そして、本実施例の本実施例の吊り戸の下部振止装置においては、第１部材４の上部部材４３の軸部４３ａを、上記第１実施例の吊り戸の下部振止装置の第１部材４の上部部材４３の軸部４３ａよりも長く形成することで、当該軸部４３ａが、第２部材５を貫通、摺動するようにしている。
また、第１部材４と第２部材５の抜け止めを行うために、上部部材４３の軸部４３ａの下端部には、軸部４３ａに嵌合するプッシュナットからなる固定部材４８を配設するようにしている。
また、第２部材５に対する第１部材４の回り止めを行うために、第１部材４の下部部材４４及び第２部材５に、上下方向に延びる凸条４９及び凹溝５５（凸条及び凹溝は、逆に形成しもよい。）を形成し、第１部材４の下部部材４４の凸条４９が、第２部材５の凹溝５５に入り込んで、第１部材４及び第２部材５が摺動するようにしている。
【００３２】
次に、本実施例の吊り戸の下部振止装置の床面設置部材の作用を説明する。
この吊り戸の下部振止装置は、第１部材４の上部部材４３の軸部４３ａが、第２部材５を貫通、摺動するようにするようにしているので、ガイドピン３の強度を高めることができるとともに、第１部材４及び第２部材５が相互にガイドし合い、第１部材４及び第２部材５の吊り戸本体Ｄの幅方向の寸法精度を高めることで、ガイドピン３を吊り戸本体Ｄの案内溝Ｇ内に一層正確に挿入されるようにすることができる。
【００３３】
なお、本実施例の吊り戸の下部振止装置のその他の構成及び作用は、上記第１実施例の吊り戸の下部振止装置の床面設置部材と同様である。
【００３４】
以上、本発明の吊り戸の下部振止装置について、その実施例に基づいて説明したが、本発明は上記実施例に記載した構成に限定されるものではなく、その趣旨を逸脱しない範囲において適宜その構成を変更することができるものである。
【産業上の利用可能性】
【００３５】
本発明の吊り戸の下部振止装置の床面設置部材は、ガイドピンの突出長さを確保しながら、ガイドピン及びケースを含む床面設置部材の高さ方向の寸法を小さく抑えることができるという利点を享有しながら、上昇時の第１部材の吊り戸本体の幅方向の寸法精度を高めることで、ガイドピンを吊り戸本体の案内溝内に正確に挿入されるようにすることができることから、吊り戸の下部振止装置の用途に広く、好適に用いることができる。
【符号の説明】
【００３６】
１  床面設置部材
２  ケース
３  ガイドピン
４  第１部材
４１  磁石
４２  空間
４３  上部部材
４３ａ  軸部
４４  下部部材
５  第２部材
Ｄ  吊り戸本体
Ｇ  案内溝
【図１】
2018178687.tif 000003
【図２】
2018178687.tif 000004
【図３】
2018178687.tif 000005
【図４】
2018178687.tif 000006
【図５】
2018178687.tif 000007
【図６】
2018178687.tif 000008